(57)【特許請求の範囲】
【請求項１】
表示モードとして、画像群の代表画像を表示部に表示する第１モードと、前記画像群の複数画像のうち、画像処理装置の姿勢に関する姿勢情報に応じた画像を前記表示部に表示する第２モードとを有し、
前記第１モードおよび前記第２モードにおける画像の表示を制御し、前記第２モードにおいて、前記姿勢情報に応じた画像を表示するための操作方法を示す操作情報を前記表示部に表示するように制御する制御部を具備する画像処理装置。
【請求項２】
前記複数画像のうち、所定の規則に基づく順序関係において隣接または近接する画像間の相関性に基づいて、前記複数画像を表示させるための前記操作方法を決定する決定部をさらに具備する請求項１記載の画像処理装置。
【請求項３】
前記制御部は、前記第２モードにおいて、前記姿勢情報の変化に基づき、前記画像群の複数画像を順次表示するように制御する請求項１記載の画像処理装置。
【請求項４】
前記操作情報は、前記画像群と関連付けられている請求項１記載の画像処理装置。
【請求項５】
前記制御部は、前記第２モードにおいて、前記姿勢情報に基づき、前記操作情報の内容を変更するように制御する請求項１記載の画像処理装置。
【請求項６】
前記制御部は、前記第２モードにおいて、前記画像群のうち、表示された画像に基づき、前記操作情報の内容を変更するように制御する請求項１記載の画像処理装置。
【請求項７】
前記制御部は、前記第２モードから前記第１モードに切り替わった時、前記画像群の代表画像を表示するように制御する請求項１記載の画像処理装置。
【請求項８】
前記画像処理装置の移動量が前記姿勢情報として使用され、
前記制御部は、前記第２モードにおいて、前記移動量に基づき、前記画像群の複数画像を順次表示するように制御する
請求項１記載の画像処理装置。
【請求項９】
前記制御部は、前記第２モードにおいて、前記画像群の複数画像の枚数に基づき、前記画像群の複数画像を順次表示するように制御する請求項１記載の画像処理装置。
【請求項１０】
画像群の代表画像を表示部に表示する第１モードと、前記画像群の複数画像のうち、画像処理装置の姿勢に関する姿勢情報に応じた画像を前記表示部に表示する第２モードとをユーザ操作に基づいて切り替える手順と、
前記第２モードにおいて、前記姿勢情報に応じた画像を表示するための操作方法を示す操作情報を前記表示部に表示する制御手順と
を具備する画像処理方法。
【請求項１１】
前記複数画像のうち、所定の規則に基づく順序関係において隣接または近接する画像間の相関性に基づいて、前記複数画像を表示させるための前記操作方法を決定する決定手順をさらに具備する請求項１０記載の画像処理方法。
【請求項１２】
前記制御手順は、前記第２モードにおいて、前記姿勢情報の変化に基づき、前記画像群の複数画像を順次表示する請求項１０記載の画像処理方法。
【請求項１３】
前記操作情報は、前記画像群と関連付けられている請求項１０記載の画像処理方法。
【請求項１４】
前記制御手順は、前記第２モードにおいて、前記姿勢情報に基づき、前記操作情報の内容を変更する請求項１０記載の画像処理方法。
【請求項１５】
前記制御手順は、前記第２モードにおいて、前記画像群のうち、表示された画像に基づき、前記操作情報の内容を変更する請求項１０記載の画像処理方法。
【請求項１６】
前記第２モードから前記第１モードに切り替わった時、前記画像群の代表画像を表示する手順をさらに具備する請求項１０記載の画像処理方法。
【請求項１７】
前記画像処理装置の移動量が前記姿勢情報として使用され、
前記制御手順は、前記第２モードにおいて、前記移動量に基づき、前記画像群の複数画像を順次表示する
請求項１０記載の画像処理方法。
【請求項１８】
前記制御手順は、前記第２モードにおいて、前記画像群の複数画像の枚数に基づき、前記画像群の複数画像を順次表示する請求項１０記載の画像処理方法。
【請求項１９】
画像群の代表画像を表示部に表示する第１モードと、前記画像群の複数画像のうち、画像処理装置の姿勢に関する姿勢情報に応じた画像を前記表示部に表示する第２モードとをユーザ操作に基づいて切り替える手順と、
前記第２モードにおいて、前記姿勢情報に応じた画像を表示するための操作方法を示す操作情報を前記表示部に表示する制御手順と
をコンピュータに実行させるプログラム。
【発明の詳細な説明】
【技術分野】
【０００１】
本発明は、画像処理装置に関し、特に、画像を表示させる画像処理装置および画像処理方法ならびに当該方法をコンピュータに実行させるプログラムに関する。
【背景技術】
【０００２】
近年、人物や動物等の被写体を撮像して画像データを生成し、この画像データを画像コンテンツとして記録するデジタルスチルカメラやデジタルビデオカメラ（例えば、カメラ一体型レコーダ）等の撮像装置が普及している。また、このように記録された複数の画像コンテンツをユーザの好みに応じて１つのグループとして決定し、この決定されたグループ単位でコンテンツ管理（例えば、撮影日単位で管理）を行うことができる撮像装置が提案されている。例えば、互いに関連する複数の画像コンテンツを１つのグループとしてコンテンツ管理を行うことができる。
【０００３】
また、このように記録された各画像コンテンツを表示させる再生装置が多数提案されている。例えば、操作部材を用いたユーザ操作により画像の画送りを行い、複数の画像を順次表示させる再生装置が存在する。また、ユーザが再生装置の姿勢を変化させることにより表示部の表示内容を変更させる再生装置が存在する。
【０００４】
例えば、本体の移動量や回転量を求め、これらに応じて表示部の表示内容のスクロール等を指示する情報処理装置が提案されている（例えば、特許文献１参照。）。
【先行技術文献】
【特許文献】
【０００５】
【特許文献１】特開平０６−４２０８号公報（図３）
【発明の概要】
【発明が解決しようとする課題】
【０００６】
上述の従来技術によれば、装置の姿勢を変化させることにより表示部の表示内容を変更させることができるため、ユーザがその装置を手で持った状態でその変更操作を容易に行うことができる。
【０００７】
ここで、グループ単位でコンテンツ管理が行われている場合において、所望の画像コンテンツを表示させる場合には、例えば、所望の画像コンテンツが属するグループを選択してそのグループに属する各画像コンテンツを順次表示させることが想定される。しかしながら、各グループに属する画像コンテンツの種類によっては、その画像の表示切替と、この表示切替を行うための装置の姿勢の変化とが対応しないことも想定される。この場合には、同一グループに属する互いに関連する複数の画像を表示する場合に、各画像が見難くなることが想定される。
【０００８】
本発明はこのような状況に鑑みてなされたものであり、互いに関連する複数の画像を表示する場合に各画像を見易く表示することを目的とする。
【課題を解決するための手段】
【０００９】
本発明は、上記課題を解決するためになされたものであり、その第１の側面は、表示モードとして、画像群の代表画像を表示部に表示する第１モードと、上記画像群の複数画像のうち、画像処理装置の姿勢に関する姿勢情報に応じた画像を上記表示部に表示する第２モードとを有し、上記第１モードおよび上記第２モードにおける画像の表示を制御し、上記第２モードにおいて、上記姿勢情報に応じた画像を表示するための操作方法を示す操作情報を上記表示部に表示するように制御する制御部を具備する画像処理装置およびその画像処理方法ならびに当該方法をコンピュータに実行させるプログラムである。これにより、第１モードおよび第２モードにおける画像の表示を制御し、第２モードにおいて、画像処理装置の姿勢に関する姿勢情報に応じた画像を表示するための操作方法を示す操作情報を表示部に表示するという作用をもたらす。
【００１０】
また、この第１の側面において、上記複数画像のうち、所定の規則に基づく順序関係において隣接または近接する画像間の相関性に基づいて、上記複数画像を表示させるための上記操作方法を決定する決定部をさらに具備するようにしてもよい。これにより、所定の順序関係において隣接または近接する画像間の相関性に基づいて、複数画像を表示させるための操作方法を決定するという作用をもたらす。
【００１１】
また、この第１の側面において、上記制御部は、上記第２モードにおいて、上記姿勢情報の変化に基づき、上記画像群の複数画像を順次表示するように制御するようにしてもよい。これにより、第２モードにおいて、姿勢情報の変化に基づき、画像群の複数画像を順次表示するという作用をもたらす。
【００１２】
また、この第１の側面において、上記操作情報を上記画像群と関連付けるようにしてもよい。これにより、画像群に関連付けられている操作情報を表示するという作用をもたらす。
【００１３】
また、この第１の側面において、上記制御部は、上記第２モードにおいて、上記姿勢情報に基づき、上記操作情報の内容を変更するように制御するようにしてもよい。これにより、第２モードにおいて、姿勢情報に基づき、操作情報の内容を変更するという作用をもたらす。
【００１４】
また、この第１の側面において、上記制御部は、上記第２モードにおいて、上記画像群のうち、表示された画像に基づき、上記操作情報の内容を変更するように制御するようにしてもよい。これにより、第２モードにおいて、画像群のうち、表示された画像に基づき、操作情報の内容を変更するという作用をもたらす。
【００１５】
また、この第１の側面において、上記制御部は、上記第２モードから上記第１モードに切り替わった時、上記画像群の代表画像を表示するように制御するようにしてもよい。これにより、第２モードから第１モードに切り替わった時、画像群の代表画像を表示するという作用をもたらす。
【００１９】
また、この第１の側面において、上記画像処理装置の移動量が上記姿勢情報として使用され、上記制御部は、上記第２モードにおいて、上記移動量に基づき、上記画像群の複数画像を順次表示するように制御するようにしてもよい。これにより、第２モードにおいて、画像処理装置の移動量に基づき、画像群の複数画像を順次表示するという作用をもたらす。
【００２０】
また、この第１の側面において、上記制御部は、上記第２モードにおいて、上記画像群の複数画像の枚数に基づき、上記画像群の複数画像を順次表示するように制御するようにしてもよい。これにより、第２モードにおいて、画像群の複数画像の枚数に基づき、画像群の複数画像を順次表示するという作用をもたらす。
【発明の効果】
【００２１】
本発明によれば、互いに関連する複数の画像を表示する場合に各画像を見易く表示することができるという優れた効果を奏し得る。
【図面の簡単な説明】
【００２２】
【図１】本発明の第１の実施の形態における撮像装置１００の外観構成例を示す図である。
【図２】本発明の第１の実施の形態における撮像装置１００の使用時における姿勢の一例を示す図である。
【図３】本発明の第１の実施の形態における撮像装置１００の機能構成例を示すブロック図である。
【図４】本発明の第１の実施の形態における画像管理情報記憶部２１０の記憶内容を模式的に示す図である。
【図５】本発明の第１の実施の形態における入出力パネル１０１における画像の表示遷移例を模式的に示す図である。
【図６】本発明の第１の実施の形態における入出力パネル１０１における画像の表示遷移例を模式的に示す図である。
【図７】本発明の第１の実施の形態における入出力パネル１０１に表示される画像と撮像装置１００の姿勢との関係を示す図である。
【図８】本発明の第１の実施の形態における入出力パネル１０１における表示遷移と、撮像装置１００の姿勢との関係を概略的に示す図である。
【図９】本発明の第１の実施の形態における入出力パネル１０１における表示遷移と、撮像装置１００の姿勢との関係を概略的に示す図である。
【図１０】本発明の第１の実施の形態における入出力パネル１０１における表示遷移例を示す図である。
【図１１】本発明の第１の実施の形態における入出力パネル１０１における表示遷移例と、撮像装置１００の姿勢との関係を概略的に示す図である。
【図１２】本発明の第１の実施の形態における入出力パネル１０１における表示遷移例と、撮像装置１００の姿勢との関係を概略的に示す図である。
【図１３】本発明の第１の実施の形態における入出力パネル１０１における表示遷移例と、撮像装置１００の姿勢との関係を概略的に示す図である。
【図１４】本発明の第１の実施の形態における撮像装置１００による画像コンテンツ再生処理の処理手順の一例を示すフローチャートである。
【図１５】本発明の第１の実施の形態における撮像装置１００による画像コンテンツ再生処理の処理手順の一例を示すフローチャートである。
【図１６】本発明の第２の実施の形態におけるグループ画像再生部１６０による間引き処理の流れを模式的に示す図である。
【図１７】本発明の第２の実施の形態における撮像装置１００による画像コンテンツ再生処理の処理手順の一例を示すフローチャートである。
【発明を実施するための形態】
【００２３】
以下、本発明を実施するための形態（以下、実施の形態と称する）について説明する。説明は以下の順序により行う。
１．第１の実施の形態（表示制御：代表画像表示モードにおいて指定された代表画像に対応するグループに属する各画像を、グループ画像表示モードにおいて表示する例）
２．第２の実施の形態（表示制御：グループ画像表示モードにおける表示対象画像について間引き処理を行う例）
【００２４】
＜１．第１の実施の形態＞
［撮像装置の外観構成例］
図１は、本発明の第１の実施の形態における撮像装置１００の外観構成例を示す図である。図１（ａ）は、撮像装置１００の表示面側の外観を示す斜視図である。また、図１（ｂ）は、撮像装置１００の表示面側の外観を示す側面図である。撮像装置１００は、例えば、被写体を撮像して画像データを生成し、この画像データを画像コンテンツとして記録し、これらを表示することが可能なデジタルスチルカメラ、デジタルビデオカメラ（例えば、カメラ一体型レコーダ）等により実現される。
【００２５】
撮像装置１００は、入出力パネル１０１およびシャッターボタン１０２を備える。また、撮像装置１００は、ユーザが手に持って入出力パネル１０１に表示される画像を見ることができ、携帯することが可能な画像処理装置である。なお、撮像装置１００は、特許請求の範囲に記載の画像処理装置の一例である。
【００２６】
入出力パネル１０１は、各種画像を表示するとともに、入出力パネル１０１における接触操作を検出することによりユーザからの操作入力を受け付けるものである。また、シャッターボタン１０２は、被写体を撮像して生成された画像データ（撮像画像）を画像コンテンツ（静止画ファイル）として記録する際に撮影者により押下されるボタンである。
【００２７】
なお、撮像装置１００には、電源スイッチ、モード切替スイッチ等の他の操作部材やレンズ部等が備えられているが、説明の容易のため、ここでの図示および説明は省略する。ここで、レンズ部（図示せず）は、被写体からの光を集光する複数のレンズ、絞り等を備える光学系である。
【００２８】
ここで、撮像装置１００の姿勢の変化について説明する。例えば、ユーザが撮像装置１００を手に持った状態で、直交３軸周りの回転角（すなわち、ヨー角、ピッチ角、ロール角）を変化させることができる。例えば、矢印３００（矢印３０１）を軸とする矢印３０２方向に撮像装置１００の姿勢を変化（ヨー角の変化）させることができる。この変化例を図２（ｂ）に示す。また、例えば、矢印３０３（矢印３０４）を軸とする矢印３０５方向に撮像装置１００の姿勢を変化（ピッチ角の変化）させることができる。また、例えば、矢印３０６（矢印３０７）を軸とする矢印３０８方向に撮像装置１００の姿勢を変化（ロール角の変化）させることができる。
【００２９】
また、例えば、ユーザが撮像装置１００を手に持った状態で、平面における直線上を移動（スライド）させて変化させることができる。例えば、矢印３００または矢印３０１方向に移動させて変化させることができる（図１（ｂ）における上下方向への移動）。また、例えば、矢印３０３または矢印３０４方向に移動させて変化させることができる（図１（ｂ）における左右方向への移動）。この変化例を図２（ｃ）に示す。また、例えば、矢印３０６または矢印３０７方向に移動させて変化させることができる。
【００３０】
［撮像装置の使用例］
図２は、本発明の第１の実施の形態における撮像装置１００の使用時における姿勢の一例を示す図である。図２（ａ）には、撮像装置１００を用いて画像コンテンツの再生を行う場合における撮像装置１００の姿勢の一例を示す。人物３１０が、撮像装置１００を用いて画像コンテンツの再生を行う場合には、例えば、図２（ａ）に示すように、撮像装置１００を両手で持った状態で、入出力パネル１０１に表示される画像を見ることができる。
【００３１】
図２（ｂ）および（ｃ）には、撮像装置１００の姿勢を変化させる場合におけるその遷移例を示す。図２（ｂ）には、図１（ａ）に示す矢印３００（３０１）を軸として矢印３０２の方向に撮像装置１００を回転させてその姿勢を変化させる場合におけるその遷移例を示す。
【００３２】
図２（ｃ）には、図１（ａ）および（ｂ）に示す矢印３０３および３０４の方向に撮像装置１００を移動させてその姿勢を変化させる場合におけるその遷移例を示す。本発明の第１の実施の形態では、このように撮像装置１００の姿勢を変化させることにより、入出力パネル１０１に表示される画像を順次変更する例を示す。すなわち、ユーザによるジェスチャー操作により、入出力パネル１０１に表示される画像を順次変更する例を示す。これらの画像の表示状態の変更については、図７乃至図１３を参照して詳細に説明する。
【００３３】
［撮像装置の機能構成例］
図３は、本発明の第１の実施の形態における撮像装置１００の機能構成例を示すブロック図である。撮像装置１００は、入出力部１１０と、姿勢検出部１２０と、解析部１３０と、制御部１４０と、代表画像再生部１５０と、グループ画像再生部１６０と、描画メモリ１７０と、画像コンテンツ記憶部２００と、画像管理情報記憶部２１０とを備える。
【００３４】
画像コンテンツ記憶部２００は、撮像部（図示せず）により生成された画像データ（撮像画像）を画像ファイル（画像コンテンツ（静止画コンテンツまたは動画コンテンツ））として記憶するものである。また、画像コンテンツ記憶部２００は、記憶されている画像コンテンツを代表画像再生部１５０またはグループ画像再生部１６０に供給する。なお、本発明の第１の実施の形態では、画像コンテンツとして静止画コンテンツを用いる例を示す。
【００３５】
画像管理情報記憶部２１０は、画像コンテンツ記憶部２００に記憶されている画像コンテンツに関する管理情報（画像管理情報）を記憶するものである。この画像管理情報を用いて、代表画像表示モードおよびグループ画像表示モードにおける再生が行われる。ここで、代表画像表示モードは、画像コンテンツ記憶部２００に記憶されている画像コンテンツのうち、グループ化されている各画像コンテンツの代表画像と、グループ化されていない画像コンテンツの画像とをユーザ操作に応じて順次表示するモードである。また、グループ画像表示モードは、画像コンテンツ記憶部２００に記憶されている画像コンテンツのうち、グループ化されている各画像コンテンツの画像を撮像装置１００の姿勢の変化に応じて順次表示するモードである。なお、画像コンテンツ記憶部２００および画像管理情報記憶部２１０として、例えば、ＤＶＤ（Digital Versatile Disk）等のディスクやメモリカード等の半導体メモリ等のリムーバブルな１または複数の記録媒体を用いることができる。また、これらの記録媒体は、撮像装置１００に内蔵するようにしてもよく、撮像装置１００から着脱可能とするようにしてもよい。
【００３６】
入出力部１１０は、表示部１１１および操作受付部１１２を備える。表示部１１１は、代表画像再生部１５０またはグループ画像再生部１６０から供給された画像を表示する表示部である。また、表示部１１１には各種メニュー画面や各種画像が表示される。表示部１１１として、例えば、ＬＣＤ（Liquid Crystal Display）、有機ＥＬ（Electro Luminescence）パネル等を用いることができる。
【００３７】
操作受付部１１２は、ユーザによって操作された操作内容を受け付ける操作受付部であり、受け付けられた操作内容に応じた操作信号を制御部１４０に供給する。操作受付部１１２は、例えば、図１に示すシャッターボタン１０２等の操作部材やタッチパネルに対応する。このタッチパネルは、例えば、表示部１１１の画面を透過するように表示部１１１に重ねて配置され、表示面に接触する物体を検出することによりユーザからの操作入力を受け付ける。すなわち、タッチパネルは、入出力部１１０における表示面において、ユーザが指を触れる等して所望の位置を押下すると、この押下位置の座標を検出し、この検出された座標に対応する操作信号を制御部１４０に出力する。そして、制御部１４０は、その操作信号を取得すると、取得された操作信号に基づいて所定の処理を実行する。操作受付部１１２として、例えば、専用の感知装置を用いて表示面における接触を電気信号に変換し、この変換された電気信号を制御部１４０に出力するタッチパネルを用いることができる。また、操作受付部１１２として、例えば、表示面に近接または接触する物体（例えば、ユーザの指）を検出することが可能な光センサ方式のタッチパネルを用いるようにしてもよい。なお、入出力部１１０は、図１に示すシャッターボタン１０２等の操作部材や入出力パネル１０１に対応する。
【００３８】
姿勢検出部１２０は、撮像装置１００の加速度、動き、傾き等を検出することにより撮像装置１００の姿勢の変化を検出するものであり、検出された姿勢の変化に関する姿勢変化情報を解析部１３０に出力する。例えば、姿勢検出部１２０は、撮像装置１００の特定方向における移動方向および移動量を、撮像装置１００の姿勢の変化として検出する。なお、姿勢検出部１２０は、ジャイロセンサ（角速度センサ）や加速度センサにより実現することができる。
【００３９】
解析部１３０は、姿勢検出部１２０から出力された姿勢変化情報に基づいて、撮像装置１００の姿勢の変化量（移動方向、移動量等）を解析して表示部１１１に表示される画像の表示切替（画送りまたは画戻し）の要否を判定するものである。そして、解析部１３０は、その判定結果（画像の表示切替指示）をグループ画像再生部１６０に出力する。具体的には、グループ画像表示モードが設定された場合には、制御部１４０から解析部１３０に解析指示および解析基準情報（画像の表示切替の要否判定に用いられる判定基準情報（例えば、図４に示す操作方法２１５））が出力される。また、この解析指示が出力された際における撮像装置１００の姿勢の位置を基準位置とし、解析基準情報に従って、解析部１３０は、姿勢検出部１２０から出力された姿勢変化情報に基づいて、画像の表示切替の要否を判定する。そして、解析部１３０は、その判定結果をグループ画像再生部１６０に出力する。例えば、解析部１３０は、姿勢検出部１２０から出力された姿勢変化情報に基づいて、撮像装置１００の姿勢が一定以上変化したか否かを判断する。続いて、解析部１３０は、撮像装置１００の姿勢が一定以上変化した場合には、その変化が解析基準情報に応じた操作方法（図４に示す操作方法２１５）に対応するか否かを判断する。続いて、その変化がその操作方法に対応する場合には、解析部１３０が、その変化量に基づいて、画像の表示切替指示（画送りまたは画戻し指示）をグループ画像再生部１６０に出力する。この画像の表示切替の要否判定については、図７を参照して詳細に説明する。
【００４０】
制御部１４０は、操作受付部１１２からの操作内容に基づいて、撮像装置１００の各部を制御するものである。例えば、制御部１４０は、操作受付部１１２により代表画像表示モードの設定操作が受け付けられた場合には代表画像表示モードを設定し、操作受付部１１２によりグループ画像表示モードの設定操作が受け付けられた場合にはグループ画像表示モードを設定する。
【００４１】
また、制御部１４０は、グループ画像表示モードの設定操作が受け付けられた場合には、その設定操作時に表示部１１１に表示されていた代表画像に対応するグループを構成する各画像を、表示部１１１に順次表示させる制御を行う。このグループ画像表示モードの設定時には、制御部１４０は、姿勢検出部１２０により検出された姿勢の変化と、そのグループを構成する各画像間における相関性とに基づいて、そのグループを構成する各画像を、表示部１１１に順次表示させる制御を行う。ここで、グループを構成する各画像間における相関性は、例えば、撮像装置１００の撮像時における各画像間の相関性を意味する。例えば、図７（ａ）に示すように、注目被写体（例えば、人物の顔）に対する視点を変化させることにより生成された複数の画像については、その相関性として多視点画像である旨が求められる。この場合には、図７（ｂ）に示すように、撮像装置１００を横回転させることにより、そのグループを構成する各画像を順次表示させることができる。また、例えば、図１１（ｄ）に示すように、注目被写体（例えば、人物）の移動に合わせて撮像装置１００を移動させることにより生成された複数の画像については、その相関性として移動中の注目被写体の動作状態画像である旨が求められる。この場合には、図１１（ｃ）に示すように、撮像装置１００を横回転させることにより、そのグループを構成する各画像を順次表示させることができる。また、例えば、図１２（ｃ）に示すように、移動する注目被写体（例えば、飛行機）を、固定された撮像装置１００により撮像して生成された複数の画像については、その相関性として水平移動画像である旨が求められる。この場合には、図１２（ａ）に示すように、撮像装置１００を水平移動させることにより、そのグループを構成する各画像を順次表示させることができる。これらの相関性に基づいて、図４に示す操作方法２１５が求められる。
【００４２】
また、代表画像表示モードが設定されている場合に、表示部１１１に表示される画像の表示切替（画送り、画戻し等）を指示する指示操作が受け付けられた場合には、制御部１４０は、その指示操作に基づいて画像の表示切替を代表画像再生部１５０に指示する。また、グループ画像表示モードの設定操作時には、制御部１４０は、その設定操作時に表示部１１１に表示されていた代表画像に対応するグループに関連付けられている操作方法（図４に示す操作方法２１５）をグループ画像再生部１６０から取得する。そして、制御部１４０は、取得された操作方法に応じた解析基準情報および解析指示を解析部１３０に出力する。制御部１４０は、例えば、ＣＰＵ（Central Processing Unit）により実現される。
【００４３】
代表画像再生部１５０は、制御部１４０の制御に基づいて、画像コンテンツ記憶部２００に記憶されている画像コンテンツのうち、代表画像に対応する画像コンテンツと、グループ化されていない画像コンテンツを表示部１１１に表示させるものである。具体的には、代表画像再生部１５０は、代表画像表示モードが設定されている場合に、代表画像に対応する画像コンテンツと、グループ化されていない画像コンテンツとを画像コンテンツ記憶部２００から取得する。続いて、代表画像再生部１５０は、その取得された画像コンテンツをデコードし、このデコードされた画像コンテンツに基づいて表示用の画像を描画メモリ１７０に描画する。そして、代表画像再生部１５０は、制御部１４０の制御に基づいて、描画メモリ１７０に描画された各画像のうち、１つの画像を表示部１１１に順次表示させる。また、代表画像再生部１５０は、代表画像と、これに対応するグループを構成する各画像を表示させるためのグループ画像表示モードへの設定操作を支援する操作支援情報（例えば、図６（ａ）に示す操作支援情報４０１）とを関連付けて表示部１１１に表示させる。
【００４４】
グループ画像再生部１６０は、制御部１４０の制御に基づいて、画像コンテンツ記憶部２００に記憶されている画像コンテンツのうち、グループ化されている画像コンテンツをグループ単位で表示部１１１に表示させるものである。具体的には、グループ画像再生部１６０は、グループ画像表示モードが設定された場合には、グループ画像表示モードの設定操作時に表示されていた代表画像に対応するグループに属する各画像コンテンツを画像コンテンツ記憶部２００から取得する。続いて、グループ画像再生部１６０は、その取得された画像コンテンツをデコードし、このデコードされた画像コンテンツに基づいて表示用の画像を描画メモリ１７０に描画する。この場合に、グループ画像再生部１６０は、例えば、所定の規則に従って表示用の各画像を並べて描画メモリ１７０に描画する。
【００４５】
また、グループ画像再生部１６０は、グループ画像表示モードの設定操作が受け付けられた場合には、表示対象となるグループに関連付けられている操作方法を示す操作支援情報と、そのグループを構成する各画像とを関連付けて表示部１１１に表示させる。この場合に、例えば、グループ画像再生部１６０は、姿勢検出部１２０により検出された撮像装置１００の姿勢の変化に基づいて、その操作支援情報の内容を変更させる。すなわち、グループ画像再生部１６０は、解析部１３０から出力された画像の表示切替指示（画送りまたは画戻し指示）に基づいて、描画メモリ１７０に描画された各画像のうちから１つの画像を表示部１１１に順次表示させる。
【００４６】
また、例えば、グループ画像再生部１６０は、その操作支援情報に対応する操作方法が行われたか否かを、その姿勢の変化に基づいて判定し、その操作方法が行われた場合には、その操作支援情報を消去させるようにしてもよい。
【００４７】
描画メモリ１７０は、代表画像再生部１５０またはグループ画像再生部１６０により描画された画像を保持する描画バッファであり、描画された画像を代表画像再生部１５０またはグループ画像再生部１６０に供給する。
【００４８】
［画像管理情報記憶部の記憶内容］
図４は、本発明の第１の実施の形態における画像管理情報記憶部２１０の記憶内容を模式的に示す図である。画像管理情報記憶部２１０には、グループ識別情報２１１と、画像コンテンツ識別情報２１２と、グループの有無２１３と、代表画像２１４と、操作方法２１５とが記憶されている。
【００４９】
グループ識別情報２１１には、各グループを識別するための識別情報が格納されている。ここで、グループは、所定の規則に基づいて順序が特定されて互いに関連する複数の画像コンテンツにより構成される画像群である。このグループは、例えば、図７（ａ）および図８（ａ）に示す画像４１１乃至４１７により構成される。なお、本発明の第１の実施の形態では、複数の画像コンテンツにより構成される画像群（グループ）と、画像群を構成しない画像コンテンツとの双方について、グループ識別情報を付与して、画像群を構成しない画像コンテンツと画像群とを識別する例を示す。
【００５０】
画像コンテンツ識別情報２１２には、画像コンテンツ記憶部２００に記憶されている各画像コンテンツを識別するための識別情報（画像コンテンツ識別情報）が格納される。例えば、画送り、画戻しの順序（例えば、撮影時刻（記録日時）の順序）で、各画像コンテンツの画像コンテンツ識別情報が格納されているものとする。
【００５１】
グループの有無２１３には、画像コンテンツがグループ化されているか否か（画像コンテンツがグループに属するか否か）を識別するための情報が格納される。なお、図４に示す例では、グループ化されている画像コンテンツの欄には「有」を示し、グループ化されていない画像コンテンツの欄には「無」を示す。
【００５２】
代表画像２１４には、グループ化されている複数の画像コンテンツのうちから、代表画像を特定するための代表画像情報が格納される。図４に示す例では、代表画像情報として、代表画像に対応する画像コンテンツの画像コンテンツ識別情報（画像コンテンツ識別番号）を示す。なお、グループ化されていない画像コンテンツの欄には「無」を示す。
【００５３】
操作方法２１５には、グループ画像表示モードが設定されている場合において、グループ化されている複数の画像コンテンツを順次表示する際における操作方法が格納される。この操作方法は、撮像装置１００の姿勢の変化に関する操作方法である。例えば、「横回転」は、図１に示す矢印３００（３０１）を軸として矢印３０２の方向に撮像装置１００を回転させてその姿勢を変化させることにより、複数の画像コンテンツを順次表示させる操作を意味する。また、例えば、「縦回転」は、図１に示す矢印３０３（３０４）を軸として矢印３０５の方向に撮像装置１００を回転させてその姿勢を変化させることにより、複数の画像コンテンツを順次表示させる操作を意味する。また、例えば、「水平移動」は、図１に示す矢印３０３および３０４の方向に撮像装置１００を移動させてその姿勢を変化させることにより、複数の画像コンテンツを順次表示させる操作を意味する。また、例えば、「垂直移動」は、図１に示す矢印３００および３０１の方向に撮像装置１００を移動させてその姿勢を変化させることにより、複数の画像コンテンツを順次表示させる操作を意味する。この操作方法は、例えば、画像コンテンツの生成時における撮像動作方法に応じて、撮像装置１００が自動で決定することができる。また、ユーザ操作によりユーザの好みに応じて適宜決定するようにしてもよい。
【００５４】
なお、グループ識別情報２１１、グループの有無２１３、代表画像２１４および操作方法２１５に格納されている各情報については、画像ファイル（画像コンテンツ）内に記録するようにしてもよい。例えば、静止画ファイルに関する属性情報として、これらの各情報を記録することができる。そして、画像コンテンツの再生時には、画像コンテンツ内に記録されている各情報を用いることができる。
【００５５】
［画像の表示遷移例］
図５および図６は、本発明の第１の実施の形態における入出力パネル１０１における画像の表示遷移例を模式的に示す図である。図５（ａ）には、画像コンテンツ記憶部２００に記憶されている画像コンテンツを所定の規則（画像コンテンツ識別情報の順序）に従って並べた場合を模式的に示す。なお、図５（ａ）に示す例では、画像コンテンツ記憶部２００に記憶されている画像コンテンツのうち、画像コンテンツ＃１乃至＃１３のみを示す。また、画像コンテンツ＃１乃至＃１３は、図４の画像コンテンツ識別情報２１２に示す＃１乃至＃１３に対応する。なお、図５では、画像コンテンツ識別情報（＃１乃至＃１３）を内部に付した矩形により、各画像コンテンツおよびこれに対応する各画像を模式的に示す。また、グループ化されている画像コンテンツについては、グループ単位で各画像コンテンツを点線の矩形で囲んで示す。
【００５６】
図５（ｂ）には、代表画像表示モードが設定されている場合に入出力パネル１０１に表示される画像の遷移例を示す。図５（ｂ）に示すように、グループ化されていない画像コンテンツ（＃１、＃５、＃６、＃１３）と、グループ化されている画像コンテンツの代表画像（＃３、＃９）とが、ユーザによる画送り操作または画戻し操作に基づいて順次表示される。この画送り操作または画戻し操作は、例えば、撮像装置１００に備えられている操作部材（例えば、タッチパネルや外装されている操作ボタン（図示せず））を用いて行う。また、この画送り操作または画戻し操作は、例えば、グループ画像表示モードの設定時と同様に、撮像装置１００の姿勢の変化に応じて行うようにしてもよい。
【００５７】
図６（ａ）には、図５（ｂ）に示す画像のうち、画像コンテンツ＃６、＃９、＃１３が、ユーザによる画送り操作または画戻し操作に基づいて順次表示される場合における表示遷移例を示す。なお、図６では、画像コンテンツ識別情報（＃６、＃８乃至＃１０、＃１３）を内部に付した矩形により画像コンテンツを表す画像を模式的に示す。このように、ユーザ操作に基づいて各画像を入出力パネル１０１に表示させることができる。ここで、図６（ａ）に示すように、グループ化されている画像コンテンツの代表画像（例えば、＃９）が、入出力パネル１０１に表示されている場合には、グループ画像表示モードを設定するための操作支援情報４０１が表示される。操作支援情報４０１は、代表画像表示モードの設定時においてグループ画像表示モードを設定するための操作を支援するための操作ボタンである。すなわち、ユーザが操作支援情報４０１に対応する矩形領域を押下することにより、グループ画像表示モードを設定することができる。例えば、グループ化されている画像コンテンツ（例えば、＃３、＃９）の代表画像が入出力パネル１０１に表示されている状態で、操作支援情報４０１の押下操作が行われた場合にはグループ画像表示モードが設定される。このように、操作支援情報４０１の押下操作がグループ画像表示モードへの入り口となる。また、グループ画像表示モードが設定された場合には、グループ画像表示モードの設定操作（操作支援情報４０１の押下操作）が行われた際に表示されていた代表画像に対応するグループに属する各画像コンテンツが順次表示される。
【００５８】
一方、図６（ａ）に示すように、グループ化されていない画像コンテンツ（例えば、＃６、＃１３）が入出力パネル１０１に表示されている場合には、操作支援情報４０１が表示されない。このため、グループ化されていない画像コンテンツ（例えば、＃６、＃１３）が入出力パネル１０１に表示されている状態では、操作支援情報４０１の押下操作が行うことができず、グループ画像表示モードを設定することができない。
【００５９】
ここで、グループ化されている画像コンテンツ（＃９）の代表画像が入出力パネル１０１に表示されている状態で、グループ画像表示モードの設定操作（操作支援情報４０１の押下操作）が行われた場合を想定する。この場合には、グループ画像再生部１６０が、グループ画像表示モードの設定操作が行われた際に表示されていた代表画像に対応するグループに属する各画像コンテンツを、画像コンテンツ記憶部２００から取得する。そして、グループ画像再生部１６０が、その取得された画像コンテンツに基づいて、各画像を描画メモリ１７０に描画する。この場合に、グループ画像再生部１６０は、所定の規則（例えば、画像コンテンツ識別情報の順序）に従って各画像を描画メモリ１７０に描画する。この描画メモリ１７０における画像の描画例を図５（ｃ）に示す。
【００６０】
図５（ｃ）には、グループ画像表示モードが設定された際に表示されていた代表画像に対応するグループに属する各画像コンテンツが描画メモリ１７０に描画された場合を模式的に示す。このように画像コンテンツの描画処理が行われている場合には、グループ画像再生部１６０は、その旨を入出力パネル１０１に表示させ、グループ画像表示モードにおける表示処理を行わない。この場合における表示例を図６（ｂ）に示す。
【００６１】
図６（ｂ）には、グループ画像表示モードの設定操作が行われた直後に画像コンテンツの描画処理が行われている場合における表示例を示す。例えば、入出力パネル１０１には、グループ画像表示モードが設定された際に表示されていた代表画像（＃９）に、画像コンテンツの描画処理である旨を示す操作支援情報４０２が重ねて表示される。そして、画像コンテンツの描画処理が終了した場合には、グループ画像再生部１６０は、グループ画像表示モードにおける画像の表示切替操作を支援するための操作支援情報を入出力パネル１０１に表示させる。この表示例を図６（ｃ）に示す。
【００６２】
図６（ｃ）には、グループ画像表示モードの設定操作後に画像コンテンツの描画処理が終了した場合における表示例を示す。例えば、入出力パネル１０１には、グループ画像表示モードが設定された際に表示されていた代表画像（＃９）に、グループ画像表示モードにおける画像の表示切替操作を支援するための操作支援情報４０３および４０４が重ねて表示される。操作支援情報４０３および４０４は、入出力パネル１０１に表示されているグループに属する各画像を表示させるための操作を支援するための操作ガイドである。図６（ｃ）に示す操作支援情報４０３および４０４は、ユーザが撮像装置１００を手に持った状態で、図１（ａ）に示す矢印３００（３０１）を軸として撮像装置１００を回転させる操作を行うことにより、画送りまたは画戻しを行うことができる旨を示す。なお、各図では、説明の容易のため、各操作支援情報を比較的大きくして示す。また、グループ画像表示モード設定時における画送り操作および画戻し操作については、図７乃至図１３を参照して詳細に説明する。
【００６３】
ここで、図６（ｃ）に示すように、グループ画像表示モードが設定され、表示対象画像に重ねて操作支援情報４０３および４０４が表示されている状態で、代表画像表示モードを設定する設定操作について説明する。この状態で、代表画像表示モードを設定する場合には、例えば、ユーザが入出力パネル１０１における表示面に接触するタッチ操作を行う。このタッチ操作が行われると、矢印４０５に示すように、グループ画像表示モードから代表画像表示モードに切り替えられる（すなわち、代表画像表示モードが設定される）。このように代表画像表示モードが設定された直後には、グループ画像表示モードの設定時に表示されていたグループの代表画像（例えば、画像＃９）が表示される。なお、入出力パネル１０１におけるタッチ操作以外に、他の操作部材を用いた設定操作により代表画像表示モードを設定するようにしてもよい。
【００６４】
［グループ画像表示モード設定時における撮像装置の姿勢の変化と画像の表示遷移との関係例］
図７は、本発明の第１の実施の形態における入出力パネル１０１に表示される画像と撮像装置１００の姿勢との関係を示す図である。図７（ａ）には、グループ画像表示モードが設定されている場合に連続して表示される画像４１１乃至４１７を所定の規則に従って並べて示す。画像４１１乃至４１７は、同一のグループに属する画像であり、画像４１４が代表画像であるものとする。また、画像４１１乃至４１７については、撮像装置１００の姿勢の変化に応じて、図７（ａ）に示す順序で順次表示される。
【００６５】
図７（ｂ）には、画像４１１乃至４１７を表示する場合における撮像装置１００の操作範囲を示す。この例では、図１に示す矢印３００（３０１）を軸として撮像装置１００を回転させてその姿勢を変化させることにより画送りまたは画戻しを行う例を示す。この場合における回転角度の範囲をθとする。
【００６６】
図７（ｃ）には、画像４１１乃至４１７について画送りまたは画戻しを行う際に基準となる角度（基準角度）を示す。この例では、回転角度の範囲θを６０度とする場合に、７つの画像（画像４１１乃至４１７）について画送りまたは画戻しを行う例について説明する。この場合には、画送りまたは画戻しを行う場合における基準角度θ１を１０度（６０（回転角度の範囲θ）÷６（画像４１１乃至４１７の数））とすることができる。具体的には、解析部１３０が、グループ画像表示モードが設定された際における撮像装置１００の位置を基準位置４２１として設定する。そして、解析部１３０が、基準位置４２１からの回転角度（図１に示す矢印３００（３０１）を軸４２０とする場合における撮像装置１００の回転角度）が１０度を超えた場合には、画像の表示切替指示をグループ画像再生部１６０に出力する。この画像の表示切替指示が出力されると、グループ画像再生部１６０が、その指示内容に基づいて画送りまたは画戻しを行う。
【００６７】
例えば、グループ画像表示モードが設定された直後には、代表画像（画像４１４）が入出力パネル１０１に表示される。そして、図２（ａ）に示すように、人物３１０が撮像装置１００を持った状態で、左手側が下になるように、撮像装置１００の姿勢を変化させる。この場合に、グループ画像表示モードが設定された際における基準位置４２１からの回転角度が１０度を超えた場合（回転角度の範囲４２２を超えた場合）には、画送りが行われる。すなわち、画像４１４の代わりに画像４１５が表示される。同様に、回転角度が１０度を超える毎に（回転角度の範囲４２３、４２４を超える毎に）、画送りが行われ、画像４１６、４１７が順次表示される。
【００６８】
一方、図２（ａ）に示すように、人物３１０が撮像装置１００を持った状態で、右手側が下になるように、撮像装置１００の姿勢を変化させる。この場合に、グループ画像表示モードが設定された際における基準位置４２１からの回転角度が１０度を超えた場合（回転角度の範囲４２５を超えた場合）には、画戻しが行われる。すなわち、画像４１４の代わりに画像４１３が表示される。同様に、回転角度が１０度を超える毎に（回転角度の範囲４２６、４２７を超える毎に）、画戻しが行われ、画像４１２、４１１が順次表示される。
【００６９】
図８および図９は、本発明の第１の実施の形態における入出力パネル１０１における表示遷移と、撮像装置１００の姿勢との関係を概略的に示す図である。図８（ａ）には、入出力パネル１０１に表示される画像の遷移を示す。なお、図８（ａ）に示す入出力パネル１０１に表示される画像４１１乃至４１７は、図７（ａ）に示す画像４１１乃至４１７と同一である。また、図８（ａ）では、入出力パネル１０１に表示される画像４１１乃至４１７に重ねて表示される操作支援情報を省略して示す。この操作支援情報の表示例については、図９（ａ）に示す。
【００７０】
図８（ｂ）には、図８（ａ）に示す入出力パネル１０１における画像が表示される際における撮像装置１００の姿勢の一例を示す。図８（ｂ）に示す例では、グループ画像表示モードの設定時における撮像装置１００の姿勢が、水平面３３０に平行となっている場合における遷移例を示す。また、図８では、図８（ａ）に示す入出力パネル１０１に表示される画像と、図８（ｂ）に示す撮像装置１００の姿勢とについて、対応する関係を左右に並べて示す。
【００７１】
図９（ａ）には、入出力パネル１０１に表示される画像の遷移を示す。なお、図９（ａ）に示す入出力パネル１０１に表示される画像４１１、４１４および４１７は、図８（ａ）に示す画像４１１、４１４および４１７と同一である。また、図９（ａ）では、入出力パネル１０１に表示される画像４１２、４１３、４１５および４１６を省略する。上述したように、グループ画像表示モードが設定された直後には、代表画像（画像４１４）が入出力パネル１０１に表示される。この場合に、図６（ｃ）と同様に、操作支援情報４０３および４０４が画像４１４に重ねて表示される。また、画像４１２、４１３、４１５および４１６が入出力パネル１０１に表示されている場合についても同様に、操作支援情報４０３および４０４が各画像に重ねて表示される。
【００７２】
また、グループ画像表示モードが設定されている場合において、画像４１１が入出力パネル１０１に表示されている場合には、それ以上の画戻しを行うことができない。このため、図９（ａ）に示すように、入出力パネル１０１には、画送り操作を支援するための操作支援情報４３１および４３２が画像４１１に重ねて表示される。また、グループ画像表示モードが設定されている場合において、画像４１７が入出力パネル１０１に表示されている場合には、それ以上の画送りを行うことができない。このため、図９（ａ）に示すように、入出力パネル１０１には、画戻し操作を支援するための操作支援情報４３３および４３４が画像４１１に重ねて表示される。
【００７３】
なお、これらの操作支援情報については、ユーザ操作により画送り画戻りが一定時間（または、一定回数）行われた場合に消去または縮小させるようにしてもよい。
【００７４】
図９（ｂ）には、図９（ａ）に示す入出力パネル１０１における画像が表示される際における撮像装置１００の姿勢の一例を示す。なお、図９（ｂ）では、図９（ａ）と同様に、８（ｂ）に示す撮像装置１００の姿勢の一部を省略して示す。また、図９では、図８と同様に、図９（ａ）に示す入出力パネル１０１に表示される画像と、図９（ｂ）に示す撮像装置１００の姿勢とについて、対応する関係を左右に並べて示す。
【００７５】
このように、撮像装置１００を左右に傾けることにより、入出力パネル１０１に表示される画像の画送りまたは画戻しが行われる。また、撮像装置１００を左右に傾ける操作をユーザが早く行うことにより、画送りまたは画戻しを早く行うことができる。
【００７６】
ここで、画像４１１乃至４１７は、同一人物の顔について異なる視点から撮像された画像である。このため、撮像装置１００を左右に傾けるユーザ操作を早く行い、画送りまたは画戻しを早く行うことにより、３次元の物体（人物の顔）を見ているようにユーザに認識させることができる。すなわち、撮像装置１００を左右に傾けるユーザ操作により、擬似的に３次元画像を見ているようにユーザに認識させることができる。
【００７７】
また、撮像装置１００を左右に傾けるユーザ操作を行うことにより、擬似的に３次元画像を表示させる例として、人物の顔以外にも、他の物体を対象とすることができる。以下では、同一物体について異なる視点から撮像された画像を表示する場合における表示例を示す。
【００７８】
図１０は、本発明の第１の実施の形態における入出力パネル１０１における表示遷移例を示す図である。図１０（ａ）および（ｂ）には、同一の車をそれぞれ表示対象画像とする場合における入出力パネル１０１における表示遷移例を示す。なお、図１０（ａ）および（ｂ）では、画像の一部と操作支援情報とを省略して示す。
【００７９】
図１０（ａ）および（ｂ）では、例えば、回転角度の範囲θ（図７（ｂ）に示す）を１８０度とする場合を例にして示す。この場合には、ユーザが撮像装置１００を左右方向に傾ける操作（図１に示す矢印３００（３０１）を軸とする場合における撮像装置１００の回転操作）を行うことにより、車の左右の側面から正面側までを立体的に鑑賞することができる。
【００８０】
このように、注目被写体がさまざまな角度から撮影された画像群をユーザのジェスチャー操作により高速画送りさせることにより、擬似立体視のような画像を奥行きのある画像として楽しむことができる。すなわち、人物の顔や車等の対象物を立体的に鑑賞したい場合に、ユーザの手動操作によりその対象物の擬似的な立体画像を容易に鑑賞することができる。
【００８１】
なお、角度情報（図７（ｃ）に示す回転角度の範囲θおよび基準角度θ１）については、ユーザの好みに応じて見易くなるように、ユーザ操作により変更可能とするようにしてよい。また、画像の表示切替時の判定に用いられる回転角度の範囲（基準角度）については、隣接または近接する画像間の関係に基づいて画像毎に変更するようにしてもよい。
【００８２】
また、角度情報（回転角度の範囲および基準角度）については、各グループに関連付けて画像管理情報記憶部２１０に記憶しておき、この記憶されている角度情報を用いてグループ画像表示モードにおける再生処理を行うようにしてもよい。この場合に、基準角度は、例えば、撮像動作時における注目被写体（例えば、人物の顔）と撮像装置１００との位置関係に基づいて順次記録することができる。例えば、人物の顔を注目被写体とする場合には、その正面からの撮像位置を０度とし、その顔を中心とする撮像位置０度からの視点の角度（撮像位置に対応する角度）を順次基準角度として記録しておく。
【００８３】
また、角度情報（回転角度の範囲および基準角度）については、表示対象となる画像について画像処理を行うことにより求めるようにしてもよい。例えば、各画像の特徴量を抽出し、隣接または近接する画像間における特徴量を比較することにより、これらの特徴量の類似度を算出する。そして、この類似度に基づいて、基準角度を決定するようにしてもよい。例えば、類似度が大きい場合には、隣接する画像間における２つの視点の角度（その２つの視点と、被写体（１点）とを結ぶ２線により特定される角度（その１点を中心とする角度））が小さいと想定されるため、基準角度を小さくすることができる。一方、類似度が小さい場合には、隣接する画像間における２つの視点の角度が大きいと想定されるため、基準角度を大きくすることができる。なお、特徴量は、画像間における類似度を算出するためのデータであり、例えば、色や輝度等の値に基づいて抽出することができる。例えば、画像に人物の顔が含まれている場合には、その顔を構成する目や鼻、口、眉等の各部の位置関係や形状を認識するための顔画像の特徴や特性を示すデータを特徴量として用いることができる。また、例えば、各画像に含まれる顔（例えば、画像に占める割合が一定以上の顔（人物や動物））の検出処理を行い、顔が検出された場合には、画像毎の顔の向きを検出して、この顔の向きに基づいて基準角度を決定するようにしてもよい。なお、画像に含まれる顔の検出方法として、例えば、顔の輝度分布情報が記録されているテンプレートとコンテンツ画像とのマッチングによる顔検出方法（例えば、特開２００４−１３３６３７参照。）を用いることができる。また、画像に含まれる肌色の部分や人間の顔の特徴量に基づいた顔検出方法を用いることができる。また、顔の向きの検出方法として、例えば、顔画像における２点間の輝度の差分値を用いた弱判別器により顔の属性（顔の向き）を検出する検出方法を用いることができる（例えば、特開２００９−３０１１７０号参照。）。この場合には、例えば、顔向き判定スコアの大小に応じて、基準角度を決定することができる。また、このように求められた各基準角度に基づいて、回転角度の範囲θを求めることができる（例えば、θ＝各基準角度を合計した値）。これらの角度情報の算出については、例えば、制御部１４０の制御に基づいて、グループ画像再生部１６０が行う。
【００８４】
以上では、撮像装置１００を所定方向に傾ける操作を行うことにより複数の画像を順次表示させ、これらの各画像を立体的に見せる例を示した。ただし、複数の画像を順次表示させる場合に、これらの画像に含まれる注目被写体を動的に見せたい場合等も想定される。また、複数の画像を順次表示させる場合には、撮像装置１００を所定方向に傾ける操作よりも、所定方向に移動させる操作（スライド操作）を行う方が、操作がし易いことも想定される。そこで、以下では、これらの操作方法および表示遷移の一例について説明する。
【００８５】
図１１乃至図１３は、本発明の第１の実施の形態における入出力パネル１０１における表示遷移例と、撮像装置１００の姿勢との関係を概略的に示す図である。図１１には、撮像装置１００を上下方向（図１に示す矢印３０３（３０４）を軸とする矢印３０５の方向）に傾ける操作を行うことにより、静止画を動画のように表示させる例を示す。図１１に示す例では、ジョギングをする人物を注目被写体とする例を示す。
【００８６】
図１１（ａ）には、入出力パネル１０１に表示される画像の表示例を示す。上述したように、グループ画像表示モードが設定された直後には、代表画像が入出力パネル１０１に表示される。この場合に、図６（ｃ）と同様に、操作支援情報４５１および４５２が代表画像に重ねて表示される。例えば、ユーザが見ていると想定される状態を基準にして操作支援情報４５１および４５２を表示させることができる。図１１（ａ）に示す例では、ジョギングする人物が垂直方向となるようにユーザが入出力パネル１０１を見ることが想定される。このため、撮像装置１００の左右方向（図１（ａ）に示す矢印３０３および３０４方向）が、ユーザの視線方向となるように、操作支援情報４５１および４５２が表示される。なお、図１１（ｂ）に示すように、撮像装置１００の上下方向（図１（ａ）に示す矢印３００および３０１方向）が、ユーザの視線方向となるように、操作支援情報４５３および４５４を表示するようにしてもよい。例えば、姿勢検出部１２０による姿勢の変化の検出結果に基づいて、これらの表示を変更するようにしてもよい。
【００８７】
図１１（ｃ）には、図１１（ｄ）に示す各画像を表示する場合における撮像装置１００の操作範囲を示す。この例では、図１に示す矢印３０３（３０４）を軸として撮像装置１００を回転させてその姿勢を変化させることにより画送りまたは画戻しを行う例を示す。この場合における回転角度の範囲をθ１０とする。
【００８８】
図１１（ｄ）には、入出力パネル１０１に表示される画像の遷移を示す。図１１（ｄ）に示す入出力パネル１０１に表示される各画像は、撮像装置１００によりジョギングをする人物が連続して撮影された画像である。なお、図１１（ｄ）では、入出力パネル１０１に表示される各画像に重ねて表示される操作支援情報を省略して示す。
【００８９】
このように、高速撮影により生成された画像群をユーザのジェスチャー操作により高速画送りさせることにより、パラパラ漫画を見るような表示形態をユーザに提供することができる。
【００９０】
図１２には、撮像装置１００を左右方向（図１に示す矢印３０３および３０４方向）に移動させる操作を行うことにより、離陸する飛行機を動画のように表示させる例を示す。
【００９１】
図１２（ａ）には、図１２（ｃ）に示す各画像を表示する場合における撮像装置１００の操作範囲を示す。この例では、図１に示す矢印３０３および３０４方向に撮像装置１００を移動させてその姿勢を変化させることにより画送りまたは画戻しを行う例を示す。例えば、１つの画像について画送りまたは画戻しを行う場合における撮像装置１００の移動距離をｄ１とする。すなわち、図１に示す矢印３０３および３０４方向に撮像装置１００を距離ｄ１だけ移動させてその姿勢を変化さることにより、画送りまたは画戻りを順次行うことができる。この移動距離ｄ１については、ユーザ操作により移動可能と判断される移動距離（全体距離）と、表示対象画像の数との関係に基づいて設定することができる。例えば、全体距離をｄとし、表示対象画像の数を１０とする場合には、移動距離ｄ１＝ｄ／１０とすることができる。
【００９２】
図１２（ｂ）には、入出力パネル１０１に表示される画像の表示例を示す。上述したように、グループ画像表示モードが設定された直後には、代表画像が入出力パネル１０１に表示される。この場合に、図６（ｃ）と同様に、操作支援情報４６１および４６２が代表画像に重ねて表示される。この場合についても、図１１に示す例と同様に、ユーザが見ていると想定される状態を基準にして操作支援情報４６１および４６２が表示される。図１２（ｂ）に示す例では、離陸する飛行機が左右方向に進むようにユーザが入出力パネル１０１を見ることが想定される。このため、撮像装置１００の上下方向（図１（ａ）に示す矢印３００および３０１方向）が、ユーザの視線方向となるように、操作支援情報４６１および４６２が表示される。
【００９３】
図１２（ｃ）には、入出力パネル１０１に表示される画像の遷移を示す。図１２（ｃ）に示す入出力パネル１０１に表示される各画像は、撮像装置１００により離陸する飛行機が連続して撮影された画像である。なお、図１２（ｃ）では、入出力パネル１０１に表示される各画像に重ねて表示される操作支援情報を省略して示す。
【００９４】
図１３には、撮像装置１００を左右方向（図１に示す矢印３０３および３０４方向）に移動させる操作を行うことにより、女子高生を動画のように表示させる例を示す。
【００９５】
図１３（ａ）には、図１３（ｃ）に示す各画像を表示する場合における撮像装置１００の操作範囲を示す。この例では、図１に示す矢印３０３および３０４方向に撮像装置１００を移動させてその姿勢を変化させることにより画送りまたは画戻しを行う例を示す。例えば、１つの画像について画送りまたは画戻しを行う場合における撮像装置１００の移動距離をｄ２とする。すなわち、図１に示す矢印３０３および３０４方向に撮像装置１００を距離ｄ２だけ移動させてその姿勢を変化さることにより、画送りまたは画戻りを順次行うことができる。この移動距離ｄ２についても、図１２（ａ）に示す例と同様に算出することができる。
【００９６】
図１３（ｂ）には、入出力パネル１０１に表示される画像の表示例を示す。上述したように、グループ画像表示モードが設定された直後には、代表画像が入出力パネル１０１に表示される。この場合に、図６（ｃ）と同様に、操作支援情報４７１および４７２が代表画像に重ねて表示される。この場合についても、図１１に示す例と同様に、ユーザが見ていると想定される状態を基準にして操作支援情報４７１および４７２が表示される。図１３（ｂ）に示す例では、女子高生が立っている状態でユーザが入出力パネル１０１を見ることが想定される。このため、撮像装置１００の左右方向（図１（ａ）に示す矢印３０３および３０４方向）が、ユーザの視線方向となるように、操作支援情報４７１および４７２が表示される。
【００９７】
図１３（ｃ）には、入出力パネル１０１に表示される画像の遷移を示す。図１３（ｃ）に示す入出力パネル１０１に表示される各画像は、撮像装置１００により女子高生が連続して撮影された画像である。なお、図１３（ｃ）では、入出力パネル１０１に表示される各画像に重ねて表示される操作支援情報を省略して示す。
【００９８】
なお、移動情報（全体移動の範囲および画像の表示切替時の移動距離）については、ユーザの好みに応じて見易くなるように、ユーザ操作により変更可能とするようにしてよい。また、画像の表示切替時の判定に用いられる移動距離（画像の表示切替時の移動距離）については、隣接または近接する画像間の関係に基づいて画像毎に変更するようにしてもよい。
【００９９】
また、移動情報（全体移動の範囲および画像の表示切替時の移動距離）については、各グループに関連付けて画像管理情報記憶部２１０に記憶しておき、この記憶されている移動情報を用いてグループ画像表示モードにおける再生処理を行うようにしてもよい。この場合に、画像の表示切替時の移動距離は、例えば、撮像動作時における注目被写体（例えば、飛行機）と撮像装置１００との位置関係に基づいて順次記録することができる。例えば、飛行機を注目被写体とする場合には、その側面から所定距離だけ離れた所定位置（撮像位置）を基準とし、その撮像位置から平行移動した撮像装置１００の移動量を順次記録しておく。
【０１００】
また、移動情報（全体移動の範囲および画像の表示切替時の移動距離）については、表示対象となる画像について画像処理を行うことにより求めるようにしてもよい。例えば、各画像の特徴量を抽出し、隣接する画像間における特徴量を比較することにより、隣接する画像間における相対変位を算出する。そして、この相対変位に基づいて、隣接する画像間の移動量および移動方向を算出して、画像の表示切替時の移動距離を決定するようにしてもよい。この相対変位の算出方法として、例えば、各画像間の重複領域について互いに画素値が相関する相対変位を算出する算出方法を用いることができる。例えば、Ｌｕｃａｓ−Ｋａｎａｄｅ法やブロックマッチング法等を用いて相対変位を求めることができる。また、このように求められた画像の表示切替時の移動距離に基づいて、全体移動の範囲ｄを求めることができる（例えば、ｄ＝各移動距離（画像の表示切替時の移動距離）を合計した値）。これらの移動情報の算出については、例えば、制御部１４０の制御に基づいて、グループ画像再生部１６０が行う。
【０１０１】
また、表示対象となる画像について画像処理を行うことにより、撮像装置１００の姿勢の変化に関する操作方法（表示対象となる画像の操作方法（例えば、図４に示す操作方法２１５））を決定するようにしてもよい。例えば、上述したように、隣接する画像間における特徴量の比較により、隣接する画像間における特徴量の類似度と、隣接する画像間における相対変位とを算出する。同様に、近接する画像間における特徴量の比較により、近接する画像間における特徴量の類似度と、近接する画像間における相対変位とを算出する。すなわち、隣接または近接する画像間を比較することにより各画像間における相関性を検出する。そして、これらの類似度および相対変位に基づいて、撮像装置１００の姿勢の変化に関する操作方法（表示対象となる画像の操作方法）を決定することができる。例えば、表示対象の画像に含まれる注目被写体が画像内を移動している場合には、その移動方向に応じて「水平移動」または「垂直移動」を決定することができる。また、例えば、表示対象の各画像間における特徴量の類似度が比較的高い場合には、その各画像に含まれる被写体の種類（例えば、上下方向）に応じて「横回転」または「縦回転」を決定することができる。これらの操作方法の決定については、例えば、制御部１４０の制御に基づいて、グループ画像再生部１６０が行うことができる。すなわち、グループ画像再生部１６０は、特許請求の範囲に記載の決定部の一例である。また、以上で示した例では、撮像装置１００の上下左右の何れかの方向へのスライド、または、これらの方向を軸とする回転により入出力パネル１０１における表示状態を変更する例を示した。ただし、撮像装置１００の前後方向（図１（ａ）に示す矢印３０６または３０７）への移動や、この方向を軸とする回転等により入出力パネル１０１における表示状態を変更するようにしてよい。例えば、撮像装置１００を用いてズームイン操作またはズームアウト操作が行われた際における注目被写体の撮像画像における拡大縮小の遷移を、撮像装置１００を前後に移動させる操作方法により表示させることができる。
【０１０２】
［撮像装置の動作例］
図１４および図１５は、本発明の第１の実施の形態における撮像装置１００による画像コンテンツ再生処理の処理手順の一例を示すフローチャートである。この例では、グループ画像表示モードが設定されてから一定時間経過後に操作支援情報を消去する例を示す。
【０１０３】
最初に、画像コンテンツの表示指示操作が行われたか否かが判断され（ステップＳ９０１）、その表示指示操作が行われていない場合には監視を継続して行う。一方、その表示指示操作が行われた場合には（ステップＳ９０１）、制御部１４０が代表画像表示モードを設定し、代表画像再生部１５０が、代表画像およびグループ化されていない画像を表示部１１１に表示させる（ステップＳ９０２）。
【０１０４】
続いて、代表画像表示モードが設定されている状態で、画送り操作または画戻し操作が行われたか否かが判断される（ステップＳ９０３）。画送り操作または画戻し操作が行われた場合には（ステップＳ９０３）、代表画像再生部１５０が表示部１１１に表示されている画像の表示切替を行う（ステップＳ９０４）。すなわち、表示部１１１に表示されている画像の画送りまたは画戻しが行われる。
【０１０５】
また、画送り操作または画戻し操作が行われていない場合には（ステップＳ９０３）、グループ画像表示モードの設定操作が行われたか否かが判断され（ステップＳ９０５）、グループ画像表示モードの設定操作が行われていない場合には、ステップＳ９１６に進む。一方、グループ画像表示モードの設定操作が行われた場合には（ステップＳ９０５）、制御部１４０がグループ画像表示モードを設定する。そして、グループ画像再生部１６０が、その設定操作時に表示部１１１に表示されていた代表画像に対応するグループに属する各画像コンテンツと、その操作方法とを画像コンテンツ記憶部２００から取得する（ステップＳ９０６）。
【０１０６】
続いて、グループ画像再生部１６０が、取得された画像コンテンツをデコードし、このデコードされた画像コンテンツに基づいて表示用の画像を描画メモリ１７０に描画する（ステップＳ９０７）。続いて、グループ画像再生部１６０が、描画メモリ１７０に描画された画像のうちの１つ（代表画像）を表示部１１１に表示させる（ステップＳ９０８）。
【０１０７】
続いて、グループ画像表示モードが設定されてから一定時間が経過したか否かが判断される（ステップＳ９０９）。グループ画像表示モードが設定されてから一定時間が経過していない場合には（ステップＳ９０９）、グループ画像再生部１６０が、表示部１１１に表示されている画像に応じて操作支援情報を表示部１１１に表示させる（ステップＳ９１０）。一方、グループ画像表示モードが設定されてから一定時間が経過した場合には（ステップＳ９０９）、グループ画像再生部１６０が、表示部１１１に表示されていた操作支援情報を消去させる（ステップＳ９１１）。
【０１０８】
続いて、解析部１３０が、姿勢検出部１２０から出力された姿勢変化情報に基づいて、撮像装置１００の姿勢が一定以上変化したか否かを判断する（ステップＳ９１２）。そして、撮像装置１００の姿勢が一定以上変化した場合には（ステップＳ９１２）、解析部１３０は、その変化が表示対象グループに関連付けられている操作方法（図４に示す操作方法２１５）に対応するか否かを判断する（ステップＳ９１３）。その変化が表示対象グループに関連付けられている操作方法に対応する場合には（ステップＳ９１３）、解析部１３０が、その変化量に基づいて、表示部１１１に表示される画像の表示切替指示（画送りまたは画戻し指示）をグループ画像再生部１６０に出力する。そして、グループ画像再生部１６０が、その表示切替指示に基づいて、表示部１１１に表示される画像の表示切替（画送りまたは画戻し）を行い（ステップＳ９１４）、ステップＳ９０９に戻る。一方、その変化が表示対象グループに関連付けられている操作方法に対応していない場合には（ステップＳ９１３）、ステップＳ９１５に進む。
【０１０９】
また、撮像装置１００の姿勢が一定以上変化していない場合には（ステップＳ９１２）、代表画像表示モードの設定操作が行われたか否かが判断され（ステップＳ９１５）、その設定操作が行われた場合には、ステップＳ９０２に戻る。一方、代表画像表示モードの設定操作が行われていない場合には（ステップＳ９１５）、画像コンテンツの表示終了操作が行われたか否かが判断され（ステップＳ９１６）、その表示終了操作が行われた場合には、画像コンテンツ再生処理の動作を終了する。また、画像コンテンツの表示終了操作が行われていない場合には（ステップＳ９１６）、グループ画像表示モードが設定されているか否かが判断される（ステップＳ９１７）。そして、グループ画像表示モードが設定されている場合には（ステップＳ９１７）、ステップＳ９０９に戻り、グループ画像表示モードが設定されていない場合（すなわち、代表画像表示モードが設定されている場合）には、ステップＳ９０３に戻る。
【０１１０】
＜２．第２の実施の形態＞
本発明の第１の実施の形態では、グループ画像表示モードの設定操作時に表示されていた代表画像に対応するグループに属する各画像をその設定時に表示する例を示した。ここで、グループ画像表示モードの設定時に表示対象となるグループに属する画像の数が多い場合が想定される。この場合には、そのグループに属する全ての画像をユーザ操作に基づいて順次表示させることができる。しかしながら、ユーザによる操作範囲については限界があり、また、同一グループに属する各画像は、似ている画像が多く存在することも想定される。そこで、本発明の第２の実施の形態では、グループ画像表示モードの設定時に表示対象となるグループに属する画像の数が基準を越えた場合には、そのグループに属する各画像について間引き処理を行った後に、間引き後の各画像を表示させる例を示す。
【０１１１】
なお、本発明の第２の実施の形態における撮像装置の機能構成については、グループ画像再生部１６０が間引き処理を行った後に、間引き後の各画像を表示させる点以外は、図３に示す例と略同様である。このため、本発明の第１の実施の形態と共通する部分については、同一の符号を付して、これらの説明の一部を省略する。
【０１１２】
［グループ画像表示モード設定時における表示対象画像の間引き例］
図１６は、本発明の第２の実施の形態におけるグループ画像再生部１６０による間引き処理の流れを模式的に示す図である。
【０１１３】
図１６（ａ）には、画像コンテンツ記憶部２００に記憶されている画像コンテンツのうち、代表画像表示モードにおける表示対象画像がユーザによる画送り操作または画戻し操作に基づいて順次表示される場合における表示遷移例を示す。なお、画像＃５６は、グループ化されている画像コンテンツの代表画像であり、画像＃５１および＃６３は、グループ化されていない画像コンテンツの画像であるものとする。また、この表示例は、表示対象となる画像が異なる点以外は、図６（ａ）に示す表示例と同様であるため、ここでの説明を省略する。
【０１１４】
図１６（ｂ）には、グループ画像表示モードの設定操作時に表示されていた代表画像に対応するグループに属する各画像コンテンツについて行われた間引き処理の流れを模式的に示す。なお、代表画像（画像＃５６）に対応するグループ＃１１１に属する各画像コンテンツ（＃５２乃至＃６２）の数は１１であるものとする。
【０１１５】
ここで、グループ化されている画像コンテンツ（＃５６）の代表画像が入出力パネル１０１に表示されている状態で、ユーザによるグループ画像表示モードの設定操作（操作支援情報４０１の押下操作）が行われた場合を想定する。この場合には、グループ画像再生部１６０が、グループ画像表示モードの設定操作時に表示されていた代表画像に対応するグループに属する各画像コンテンツを、画像コンテンツ記憶部２００から取得する。続いて、グループ画像再生部１６０が、その取得された画像コンテンツの数が一定値を超えているか否かを判断する。続いて、その取得された画像コンテンツの数が一定値を超えていない場合には、グループ画像再生部１６０が、その取得された画像コンテンツに基づいて、各画像を描画メモリ１７０に描画する。一方、その取得された画像コンテンツの数が一定値を超えている場合には、グループ画像再生部１６０が、その取得された画像コンテンツについて間引き処理を行い、この間引き後の画像コンテンツに基づいて、各画像を描画メモリ１７０に描画する。すなわち、グループ画像再生部１６０は、制御部１４０の制御に基づいて、グループ画像表示モードの操作時において、その取得された画像コンテンツの数が一定値を超えている場合には、所定数の画像コンテンツを抽出する。そして、この抽出された画像コンテンツが表示対象画像となる。なお、この間引き処理では、例えば、その取得された画像コンテンツの数が一定値の範囲内となるように間引きが行われる。
【０１１６】
ここで、間引き処理を行うか否かを判断する際に用いられる一定値について説明する。この一定値は、例えば、ユーザにより撮像装置１００の姿勢を変化させることが可能な範囲と、この範囲における１つの画像の表示切替範囲との関係に基づいて決定することができる。例えば、図１（ａ）に示す矢印３００および３０１を軸として撮像装置１００を左右方向に回転させる場合を例にして説明する。例えば、ユーザにより撮像装置１００の姿勢を変化させることが可能な範囲（撮像装置１００を左右方向に回転させる際の回転角度）を９０度とし、この範囲における１つの画像の表示切替角度を５度とする。この場合には、間引き処理を行う際に用いられる一定値を１８（９０÷５）とすることができる。
【０１１７】
また、その一定値は、例えば、グループ画像再生部１６０が、画像コンテンツ記憶部２００から画像コンテンツを読み込む時間と、ユーザが許容することができる待ち時間との関係に基づいて決定することができる。例えば、グループ画像再生部１６０が、画像コンテンツ記憶部２００から画像コンテンツを読み込む時間（１枚当りの時間）を１００ｍｓｅｃ（ミリ秒）とし、ユーザが許容することができる待ち時間を３秒とする。この場合には、間引き処理を行う際に用いられる一定値を３０（３÷０．１）とすることができる。
【０１１８】
また、その一定値として、例えば、撮像素子の視野角、描画メモリ１７０に展開することができる画像の数等に基づいて決定するようにしてもよい。なお、撮像素子は、例えば、ＣＣＤ（Charge Coupled Devices）やＣＭＯＳ（Complementary Metal Oxide Semiconductor）である。
【０１１９】
ここで、図１６（ｂ）に示す例では、間引き処理を行う際に用いられる一定値を６とする場合について説明する。例えば、グループ画像表示モードの設定操作時に表示されていた代表画像（画像＃５６）に対応するグループ＃１１１に属する各画像コンテンツ（＃５２乃至＃６２）の数は１１である。このため、グループ画像再生部１６０が、画像コンテンツ記憶部２００から取得された画像コンテンツの数（１１）が一定値（６）を超えていると判断し、その取得された画像コンテンツについて間引き処理を行う。例えば、図１６（ｂ）に示すように、グループ画像再生部１６０が、グループ＃１１１に属する各画像コンテンツ（＃５２乃至＃６２）から一定間隔（１つおき）毎に５つの画像コンテンツを間引きする。この間引き処理では、例えば、間引き後の画像に代表画像が含まれるように間引きを行うようにすることが好ましい。また、例えば、画像コンテンツの属性や画像間における相関性の高さに基づいて、間引き処理を行うようにしてもよい。例えば、画像コンテンツに人物の顔が含まれている場合には、その顔の表情に関する評価値が高い画像を優先的に残すように間引き処理を行うようにすることができる。
【０１２０】
このように間引きされた画像コンテンツ（＃５２、＃５４、＃５６、＃５８、＃６０、＃６２（図１６（ｂ）では、太線の枠で示す））に基づいて、グループ画像再生部１６０が、各画像を描画メモリ１７０に描画する。
【０１２１】
［撮像装置の動作例］
図１７は、本発明の第２の実施の形態における撮像装置１００による画像コンテンツ再生処理の処理手順の一例を示すフローチャートである。この処理手順は、図１４および図１５の変形例であり、間引き処理を行う点が図１４および図１５とは異なる。また、この点以外については、図１４および図１５と同一であるため、図１４および図１５と共通する部分については、同一の符号を付してこれらの説明を省略する。
【０１２２】
グループ画像表示モードにおいて表示対象となるグループに属する各画像およびその操作方法が取得された後（ステップＳ９０６）、グループ画像再生部１６０が、取得された画像の数が基準を超えているか否かを判断する（ステップＳ９２１）。そして、取得された画像の数が基準を超えている場合には（ステップＳ９２１）、グループ画像再生部１６０が、取得された画像の数が基準の範囲内となるように間引き処理を行う（ステップＳ９２２）。一方、取得された画像の数が基準を超えていない場合には（ステップＳ９２１）、ステップＳ９０７に進む。
【０１２３】
このように、グループ画像表示モードにおける表示対象画像の数が多い場合には、表示対象画像が適切な数となるように間引き処理を行うことにより、グループ画像表示モードの設定時に表示される画像を見易くすることができる。すなわち、ユーザが撮像装置１００の姿勢を操作することが可能な範囲内で、画送り戻しを行うことができる。このため、ユーザの意図しない範囲での画送り操作または画戻し操作を行うことを防止することができる。
【０１２４】
また、グループ画像表示モードにおける表示対象画像の数が多い場合には、表示対象画像が適切な数となるように間引き処理を行うことにより、グループ画像再生部１６０が、全ての表示対象画像を読み出す必要がない。このため、表示対象画像の読み出し時間を短縮することができ、グループ画像表示モードにおける画像再生が開始されるまでの待ち時間を軽減することができる。
【０１２５】
以上で示したように、本発明の実施の形態によれば、ユーザ操作により代表画像表示モードおよびグループ画像表示モードの切替操作が容易に行うことができるため、ユーザ好みの各画像を容易に表示させることができる。例えば、操作支援情報（例えば、図６（ａ）に示す操作支援情報４０１）の押下操作のみで、グループ画像表示モードの設定操作を行うことができる。また、グループ画像表示モードの設定時には、表示面へのタッチ操作のみで代表画像表示モードの設定操作を行うことができる。
【０１２６】
また、グループ画像表示モードの設定時には、グループ化された画像群をユーザによるジェスチャー操作に合わせた高速な画送り画戻しができるため、ジェスチャー操作によるユーザの楽しみをさらに演出することができる。
【０１２７】
また、グループ画像表示モードの設定時には、ジェスチャー操作に合わせた操作支援情報（操作ガイド）を表示画像に関連付けて表示するため、ユーザをスムーズにジェスチャー操作へ導くことができる。また、グループ画像表示モードの設定時には、表示対象となる各画像を描画メモリ１７０に描画しておくため、画送り画戻し毎に表示対象画像を読み出す必要がなく、ユーザのジェスチャー操作に応じた滑らかな画送り画戻しを行うことができる。また、グループ画像表示モードの設定時には、ユーザ操作による操作可能範囲に合わせた画送り画戻しを行うことができるため、ユーザの意図しない領域での画送り画戻しを防止することができる。これにより、ユーザが心地よいと思う操作範囲内において画送り画戻し操作を行うことができる。
【０１２８】
また、代表画像表示モードの設定時には、代表画像のみを読み出して表示することにより、通常再生の画送り画戻し時間を高速化することができるため、ユーザに与える不快感（例えば、待ち時間による不快感）を軽減させることができる。また、代表画像表示モードの設定時には、ジェスチャー操作を行わないことにより、ユーザの意図しないジェスチャー操作による誤動作を防止することができる。
【０１２９】
このように、本発明の実施の形態によれば、互いに関連する複数の画像を表示する場合に各画像を見易く表示することができる。
【０１３０】
なお、本発明の実施の形態では、撮像装置を例にして説明したが、記録媒体に記憶されている画像コンテンツを表示部に表示させることが可能な画像処理装置に本発明の実施の形態を適用することができる。例えば、撮像機能付き携帯電話機、ナビゲーションシステム、携帯型メディアプレイヤー等の画像処理装置に本発明の実施の形態を適用することができる。
【０１３１】
なお、本発明の実施の形態は本発明を具現化するための一例を示したものであり、本発明の実施の形態において明示したように、本発明の実施の形態における事項と、特許請求の範囲における発明特定事項とはそれぞれ対応関係を有する。同様に、特許請求の範囲における発明特定事項と、これと同一名称を付した本発明の実施の形態における事項とはそれぞれ対応関係を有する。ただし、本発明は実施の形態に限定されるものではなく、本発明の要旨を逸脱しない範囲において実施の形態に種々の変形を施すことにより具現化することができる。
【０１３２】
また、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【符号の説明】
【０１３３】
１００  撮像装置
１０１  入出力パネル
１０２  シャッターボタン
１１０  入出力部
１１１  表示部
１１２  操作受付部
１２０  姿勢検出部
１３０  解析部
１４０  制御部
１５０  代表画像再生部
１６０  グループ画像再生部
１７０  描画メモリ
２００  画像コンテンツ記憶部
２１０  画像管理情報記憶部
【図１】
0005413250.tif 000002
【図２】
0005413250.tif 000003
【図３】
0005413250.tif 000004
【図４】
0005413250.tif 000005
【図５】
0005413250.tif 000006
【図６】
0005413250.tif 000007
【図７】
0005413250.tif 000008
【図８】
0005413250.tif 000009
【図９】
0005413250.tif 000010
【図１０】
0005413250.tif 000011
【図１１】
0005413250.tif 000012
【図１２】
0005413250.tif 000013
【図１３】
0005413250.tif 000014
【図１４】
0005413250.tif 000015
【図１５】
0005413250.tif 000016
【図１６】
0005413250.tif 000017
【図１７】
0005413250.tif 000018